(57)【要約】【課題】引き戸がクローザの引き力よりも大きな力で強制的に閉じられるときに大きな衝撃音が出ないようにできる引き戸クローザを提供する。【解決手段】ゼンマイとワイヤー及びダンパーを用いた自閉用内蔵タイプの引き戸用クローザ２であって、強制的に閉められて引き戸１が所定の速度以上になった場合にのみ引き戸１を一旦停止させてからゆっくり閉める強制閉止回避装置９を組み込み、その強制閉止回避装置９が、具体的には、ストッパー９３を上部枠体Ｗ側に、かつストッパー９３に衝突する衝突ヘッド９０Ｈを有し支軸９５を中心に回動する可動プレート９０を引き戸クローザ２内に備えるようにした。【選択図】図１
2011140785.tif 000002
【特許請求の範囲】
【請求項１】
ゼンマイとワイヤー及びダンパーを用いた自閉用内蔵タイプの引き戸用クローザであって、クローザで閉められるときは停止しないで最後までゆっくり閉めることができ、強制的に閉められて引き戸が所定の速度以上になった場合にのみ引き戸を一旦停止させてからゆっくり閉める強制閉止回避装置を組み込んだ引き戸クローザにおいて、
前記強制閉止回避装置が、ストッパーを上部枠体側に、かつ前記ストッパーに衝突する衝突ヘッドを有し支軸を中心に回動する可動プレートを前記引き戸クローザ内に備え、
前記引き戸が前記引き戸クローザで閉められるときは、前記可動プレートが回動して前記衝突ヘッドが前記ストッパーに衝突するのを回避して最後までゆっくり閉め、
前記引き戸が人の手で強制的に閉められて引き戸が所定の速度以上になった場合にのみ、前記可動プレートが回動する前に前記衝突ヘッドが前記ストッパーに衝突して、引き戸を一旦停止させることを特徴とする引き戸クローザ。
【請求項２】
前記衝突ヘッドと前記ストッパーの少なくとも一方に弾性体を備え、前記衝突ヘッドと前記ストッパーが衝突したとき両弾性体の反発により前記衝突ヘッドが前記ストッパーから跳ね返るようにしたことを特徴とする請求項１記載の引き戸クローザ。
【請求項３】
前記上部枠体側に第１マグネットと、前記第１マグネットに反発する向きに第２マグネットを前記可動プレートに備え、
クローザで閉められるときは、前記第１マグネットと前記第２マグネットが反発して前記可動プレートが回動し、
強制的に閉められて引き戸が所定の速度以上になった場合に前記第１マグネットと前記第２マグネットが反発し始める前に前記衝突ヘッドが前記ストッパーに衝突してしまうことを特徴とする請求項２記載の引き戸クローザ。
【請求項４】
前記第１又は第２マグネットの取り付け位置を変えることで、前記反発力を可変できるようにしたことを特徴とする請求項３記載の引き戸クローザ。
【請求項５】
前記引き戸が閉止位置近傍に近づいて前記可動プレートの前記第２マグネットと前記第１マグネットとの前記反発力が小さくなって前記可動プレートが正常位置に復帰するとき、前記可動プレートが前記上部枠体側に干渉しないように前記干渉の恐れのある前記上部枠体の部位に前記第２マグネットと反発する向きに第３のマグネットを配設したことを特徴とする請求項４記載の引き戸クローザ。
【請求項６】
前記ストッパーを非磁性体で形成し、
前記支軸に対して前記衝突ヘッドとは反対の前記可動プレート部位にスプリングを取付け、前記スプリングの弾性力で前記衝突ヘッドが前記ストッパーに衝突する位置に到来するようにし、前記スプリングの弾性力よりも前記第１マグネットと前記第２マグネットとの反発力が大きくしてあり、前記第１マグネットと前記第２マグネットが接近したら前記反発力が勝って前記衝突ヘッドが前記ストッパーから退避し、前記第１マグネットと前記第２マグネットとの距離が離れたところでは前記弾性力が勝って前記衝突ヘッドが前記ストッパーに衝突する位置に到来し、
前記引き戸を開ける時に前記可動プレートの前記衝突ヘッドが前記ストッパーに衝突する部位に傾斜部をつけ、前記ストッパーが前記傾斜部に触れることで前記可動プレートを回動させるようにしたことを特徴とする請求項５記載の引き戸クローザ
【請求項７】
ケースの上面に透設したワイヤ出口近傍の側面に取付けられ且つ巻胴部をその支軸に回動可能なように軸着するダンパーユニットと、ケースに両面に貫通した穴に回転可能なように差し込まれたシャフトに巻胴部を回動可能なように軸着するゼンマイユニットと、前記巻胴部の外周面及びダンパーユニットの巻胴部の外周に対しワイヤが外れないような隙間に設定したワイヤ巻乱れ防止手段とゼンマイユニットの巻胴部にその一方端部を係止し且つ引き戸を全開するに足る長さを巻胴部の外周面に沿って巻回しながらダンパーユニットの巻胴部の外周上に沿って一周以上巻回、又は、ワイヤを受ける部分をＶ溝にし、ワイヤ張力をＶ溝に食い込ませることで張力伝達を有効に働かせて、一周しない範囲で巻回して、その他方端部を前記ワイヤ出口から導出されるワイヤとを具備してなり、前記ダンパーユニットと前記ゼンマイユニットが前記ワイヤを介してお互いに独立して回動可能なように軸支されるとともに、ゼンマイユニットのプーリ幅をワイヤが１段整列できる幅にして、且つ、クローザを引き戸に内蔵させるのに、できる限り薄くするためにゼンマイの強さ調節ロックピン径を小さくし、ケース側に受けポチを複数箇所設け、常時１ないし複数箇所で受けるようにするとともに、ロックピンをゼンマイケースの外に出してしまうと厚くなってしまうため、ロックピンをゼンマイケースの幅の中に納めてしまうようにした内蔵タイプ引き戸用クローザにおいて、
前記引き戸クローザとして、請求項１〜６のいずれか１項記載の強制閉止回避装置を備えた引き戸クローザを用いたことを特徴とする吊り戸用引き戸クローザ。
【発明の詳細な説明】
【技術分野】
【０００１】
本発明は、建物側の戸枠等に対してスライド可能に設置した引き戸に取付けて、開放後の引き戸をゼンマイの弾性復帰力を利用して自動的に閉鎖させる吊り戸用引き戸クローザに関するもので、特に引き戸を強制的に閉めた場合に衝撃音が出ないようにした引き戸クローザに関する。
【背景技術】
【０００２】
ゼンマイの弾性復帰力を利用してワイヤーで引き戸を牽引し、引き戸を自動的に閉止する引き戸用クローザにおいて、ゼンマイを用いた内蔵タイプの従来の引き戸クローザでは、強制的に閉められた場合に閉止速度を下げられず、閉まった際に衝撃音がしていた。衝撃音の対策として、一般に、ドアや引き戸にマグネットの反発を利用したものは知られている（特許文献１および２参照）が、いずれの場合もドアおよび引き戸の外側にマグネットを取り付けなければならず、引き戸の場合にはマグネットがはみ出た部分が障害になった。
本発明はこの点に鑑みて衝撃音の対策を講じた引き戸クローザを提供するものである。そこで、まず、本発明が対象としている引き戸クローザについて、簡単に説明しておく。
【先行技術文献】
【特許文献】
【０００３】
【特許文献１】特開平７−３１７４２４号公報
【特許文献２】特開２００９−５７７３７号公報
【０００４】
〈引き戸クローザの構成〉
図１２〜図１４は、引き戸クローザを説明する図で、図１２（Ａ）は引き戸クローザを取付けた引き戸を示す正面図、（Ｂ）は側面図、（Ｃ）は引き戸を開いた状態を示す正面図、図１３は図１２の引き戸クローザとワイヤの設置状態を説明する部分拡大正面図、図１４（Ａ）は引き戸クローザを示す平面図、（Ｂ）は正面図である。
図１２及び図１３において、引き戸クローザ（以下、「クローザ」と略す）２を取付けた引き戸１には、上面１１に切欠いた埋設空間１３にクローザ２のケーシングを構成する筐体３が嵌入されて固設されているとともに、下面１２には建物（家屋）側の床面Ｆ上を引き戸１の開閉方向(図１２において、開扉方向をα、閉扉方向をβで示す。)に沿って転動するローラＲを設置している。
また、この引き戸１が建物（家屋）側の上部枠体Ｗに沿って開閉するときの移動動作をガイドして引き戸１の転倒を防止するため、引き戸１の上部に対向する上部枠体Ｗには、断面略コ字形（図１２（Ｂ）参照）のガイド部材Ｇが固定されている。
【０００５】
《クローザ２の取り付け》
クローザ２は、筐体３の上面３１のみが引き戸１の上面１１から外部に臨む状態で埋設空間１３に嵌入させてねじ３０Ｂ（図１３）で引き戸１に固定されており、筐体３の上面３１と引き戸１の上面１１（図１２）とが略面一（ツライチ）状態で設置されている。
クローザ２は、筐体３の上面３１の開口から引き出されたワイヤ４の先端部分４Ｓが建物側の上部枠体Ｗ（図１３）の戸当りＴ近傍に固定ねじ４Ｎで固定されている。
【０００６】
《クローザ２の内部構成》
さらに、クローザ２は、筐体３の内部に、ワイヤ４とぜんまいユニット５とダンパユニット６とを備えている。
以下、ワイヤ４とぜんまいユニット５とダンパユニット６について図１３および図１４を用いて説明する。
【０００７】
《ワイヤ４》
ワイヤ４はワイヤ室５３内に引き出し可能に収納され、その先端部分４Ｓは前述したように建物側の上部枠体Ｗ（図１３）の戸当りＴ近傍に固定ねじ４Ｎで固定されており、ワイヤ４の他端はワイヤプーリ部に固定されている。
【０００８】
《ぜんまいユニット５》
ぜんまいユニット５は、（１）ぜんまい５１を収容したぜんまい室５２と、（２）ワイヤ４を収納するワイヤ室５３と、（３）引き戸１の閉扉速度を調整する調速手段８とを備えている。
（１）ぜんまい室５２
ぜんまい室５２はぜんまい軸５５を中心にしてぜんまい５１を螺旋状に多数回巻装して収納するとともにぜんまい５１の最外巻き部分をぜんまい室５２の内壁に固定している。ぜんまい軸５５は、ぜんまいユニット５及び筐体３に対して回転可能な状態で軸支させているが、調速手段８の調速軸８１と一体をなしており、調速軸８を所望の位置で固定させることでぜんまい軸５５も回転不動の状態に固定される。
（２）ワイヤ室５３
ワイヤ室５３は、ぜんまい室５２の外側に略円環状に形成してあり、ぜんまい室５２との壁(第１の境界壁)５７がワイヤプーリを構成しており、引き戸１が閉止したときには多数のワイヤ４が整列巻きされた状態で巻き取られる。
（３）調速手段８
調速手段８は、引き戸１を最後まで完全に閉じた閉扉状態のときのぜんまい５１の巻き数を変更して引き戸１の閉扉速度を調整するものであり、ぜんまい室５２の側面と対面（並設）する調速室５４に設け、ワイヤプーリの幅の中にぜんまい室５２と調速室５４を併設して納めることにより薄型化することができた。特に、ぜんまい室５２と調速室５４との境界を構成する一面の壁(第２の境界壁)５６の厚さを、ぜんまい５１のぜんまい軸５５寄りの方が螺旋状のぜんまい５１の外周寄りの方よりも厚くなるように形成してある。
これにより、閉扉速度調整のためにロックピン８２を回動させるための「にげ空間」を確保しており、ロックピン８２が係止部材８３を乗り越えることができる。このようにして、クローザ２の薄型化が図られているので、通常の引き戸１に対してもこのクローザ２を埋設できることとなる。
調速手段８は、ぜんまい５１の回転軸５５と一体になってぜんまい室５２から第２の境界壁５６を貫通して調速室５４に突出する調速軸８１と、調速軸８１の軸方向に直交する方向（つまり、ぜんまい５１の半径方向）に伸びる、ぜんまい室５２内部に設置したロックピン８２と、このロックピン８２を回動させることで、ばね力調整した後のぜんまい５１の巻き状態を固定するために、調速室５４内部の複数個所に設置してロックピン８２を所望の位置で係止させる係止部材８３とを有する。ロックピン８２には、最低限の強度を確保したうえで、筐体３の薄型化のためにできるだけ細径に形成されている。また、このロックピン８２の頭部には、係止溝８２Ａを設けているが、例えば図１３に示すように、ぜんまいユニット５、筐体３及び引き戸１正面のそれぞれロックピン８２と対応する位置に、透孔(図１３では筐体３の透孔３Ｂのみを示す)を穿設しておけば、引き戸１の外部からマイナスのドライバやコインを係止溝８２Ａに係止させて閉扉速度の調整ができる。
【０００９】
《ダンパユニット６》
ダンパユニット６は、引き戸１が閉じる際にこの閉じ動作に抗したダンパ力をワイヤ４を介して引き戸１に付与するものであり、ワイヤ４の中間部を複数回にわたって巻装しており、（１）薄型円板状の内部空間を有し内部にダンパを収納するダンパ６１と、（２）ダンパ６１と（同軸状態で）並設し外周面に沿ってワイヤ４が巻装されるダンパプーリ６２とを備えている。
（１）ダンパ６１
ダンパ６１はダンパ室に充填したダンパオイルと、一方向にのみダンパオイルの油圧抵抗を受けるダンパブレードとを備えて成る。また、ダンパブレードの中心に設けたダンパ軸は、ダンパプーリ６２のプーリ軸６３と一体となって延伸し、ダンパユニット６を貫通して筐体３まで達している。
（２）ダンパプーリ６２
ダンパプーリ６２は、ダンパ側から発生するダンパ力をワイヤ４に伝達させることでゆっくりとした閉扉動作を実現するために設置されており、先端と基端との間の中間部分のワイヤ４を複数回にわたって整列状態で巻装している。
このダンパプーリ６２のプーリ軸６３は、引き戸１の開扉の際のワイヤ４の引張動作などに伴い、プーリ室６４(又は筐体３)内でダンパプーリ６２が偏心動作を発生したときに、プーリ室６４(又は筐体３)の内壁に衝突せずにダンパプーリ６２の回転を保障するために、筐体３の軸孔３２との間に所定のわずかな隙間(但し、図１４では殆ど確認できない程度の微細な間隔となっている)を設け、ワイヤ４が急激な力を受けた時は、ダンパプーリ６２の端面が筐体３の軸孔３２で支えられ、両端支持の形で滑りながら回転し、荷重を分散することができる。
【００１０】
〈引き戸クローザの長所〉
（１）筐体３の薄型化
このようにクローザ２の薄型化が図られているので、通常の引き戸１に対しても、特に厚さを増大させずにクローザ２を収容して埋設でき、しかも、ロックピン８２を強度の許す範囲内においてできるだけ細径にしてぜんまい室５２内部に設置したので、さらに筐体３の薄型化を図ることができる。
（２）見栄えのよさ
さらに、引き戸１の埋設空間１３にクローザ２を埋設することでクローザ２が隠れて外部から見えないようにできる。しかも、引き戸１の上部の建物（家屋）側の上部枠体Ｗとの間の隙間を利用して、上部枠体Ｗとクローザ２との間にワイヤ４を架設しており、上部枠体Ｗの下面に固設したガイド部材Ｇでワイヤ４を隠して見えないようにできるので、見栄えのよいクローザ２を提供できる。
【発明の概要】
【発明が解決しようとする課題】
【００１１】
このようなゼンマイを用いた内蔵タイプの引き戸クローザでは、強制的に閉められた場合に閉止速度を下げられず、閉まった際に大きな衝撃音がしていた。また、このような閉止を繰り返すと、引き戸および引き戸枠の材料に疲労を生じることとなった。この対策として、マグネットの反発を利用したドアや引き戸としては、特許文献１および２のものが知られているが、いずれの場合もドアおよび引き戸の外側にマグネットを取り付けなければならず、引き戸の場合にはマグネットがはみ出た部分が障害になった。
本発明は、これを解決するためになされたもので、引き戸の外側にマグネット等の安全装置を取り付けることのない、したがってまた、障害にならない引き戸クローザを提供することを目的とするものである。
【課題を解決するための手段】
【００１２】
上記目的を達成するため、第１発明は、ゼンマイとワイヤー及びダンパーを用いた自閉用内蔵タイプの引き戸用クローザであって、クローザで閉められるときは停止しないで最後までゆっくり閉めることができ、強制的に閉められて引き戸が所定の速度以上になった場合にのみ引き戸を一旦停止させてからゆっくり閉める強制閉止回避装置を組み込んだ引き戸クローザにおいて、前記強制閉止回避装置が、ストッパーを上部枠体側に、かつ前記ストッパーに衝突する衝突ヘッドを有し支軸を中心に回動する可動プレートを前記引き戸クローザ内に備え、前記引き戸が前記引き戸クローザで閉められるときは、前記可動プレートが回動して前記衝突ヘッドが前記ストッパーに衝突するのを回避して最後までゆっくり閉め、前記引き戸が人の手で強制的に閉められて引き戸が所定の速度以上になった場合にのみ、前記可動プレートが回動する前に前記衝突ヘッドが前記ストッパーに衝突して、引き戸を一旦停止させることを特徴としている。
【００１３】
また、第２発明は、第１発明の引き戸クローザにおいて、前記衝突ヘッドと前記ストッパーの少なくとも一方に弾性体を備え、前記衝突ヘッドと前記ストッパーが衝突したとき両弾性体の反発により前記衝突ヘッドが前記ストッパーから跳ね返るようにしたことを特徴としている。
【００１４】
また、第３発明は、第２発明の引き戸クローザにおいて、前記上部枠体側に第１マグネットと、前記第１マグネットに反発する向きに第２マグネットを前記可動プレートに備え、クローザで閉められるときは、前記第１マグネットと前記第２マグネットが反発して前記可動プレートが回動し、強制的に閉められて引き戸が所定の速度以上になった場合に前記第１マグネットと前記第２マグネットが反発し始める前に前記衝突ヘッドが前記ストッパーに衝突してしまうことを特徴としている。
【００１５】
また、第４発明は、第３発明の引き戸クローザにおいて、前記第１又は第２マグネットの取り付け位置を変えることで、前記反発力を可変できるようにしたことを特徴としている。
【００１６】
また、第５発明は、第４発明の引き戸クローザにおいて、前記引き戸が閉止位置近傍に近づいて前記可動プレートの前記第２マグネットと前記第１マグネットとの前記反発力が小さくなって前記可動プレートが正常位置に復帰するとき、前記可動プレートが前記上部枠体側に干渉しないように前記干渉の恐れのある前記上部枠体の部位に前記第２マグネットと反発する向きに第３のマグネットを配設したことを特徴としている。
【００１７】
また、第６発明は、第５発明の引き戸クローザにおいて、前記ストッパーを非磁性体で形成し、前記支軸に対して前記衝突ヘッドとは反対の前記可動プレート部位にスプリングを取付け、前記スプリングの弾性力で前記衝突ヘッドが前記ストッパーに衝突する位置に到来するようにし、前記スプリングの弾性力よりも前記第１マグネットと前記第２マグネットとの反発力が大きくしてあり、前記第１マグネットと前記第２マグネットが接近したら前記反発力が勝って前記衝突ヘッドが前記ストッパーから退避し、前記第１マグネットと前記第２マグネットとの距離が離れたところでは前記弾性力が勝って前記衝突ヘッドが前記ストッパーに衝突する位置に到来し、前記引き戸を開ける時に前記可動プレートの前記衝突ヘッドが前記ストッパーに衝突する部位に傾斜部をつけ、前記ストッパーが前記傾斜部に触れることで前記可動プレートを回動させるようにしたことを特徴としている。
【００１８】
また、第７発明は、引き戸クローザに関するもので、ケースの上面に透設したワイヤ出口近傍の側面に取付けられ且つ巻胴部をその支軸に回動可能なように軸着するダンパーユニットと、ケースに両面に貫通した穴に回転可能なように差し込まれたシャフトに巻胴部を回動可能なように軸着するゼンマイユニットと、前記巻胴部の外周面及びダンパーユニットの巻胴部の外周に対しワイヤが外れないような隙間に設定したワイヤ巻乱れ防止手段とゼンマイユニットの巻胴部にその一方端部を係止し且つ引き戸を全開するに足る長さを巻胴部の外周面に沿って巻回しながらダンパーユニットの巻胴部の外周上に沿って一周以上巻回、又は、ワイヤを受ける部分をＶ溝にし、ワイヤ張力をＶ溝に食い込ませることで張力伝達を有効に働かせて、一周しない範囲で巻回して、その他方端部を前記ワイヤ出口から導出されるワイヤとを具備してなり、前記ダンパーユニットと前記ゼンマイユニットが前記ワイヤを介してお互いに独立して回動可能なように軸支されるとともに、ゼンマイユニットのプーリ幅をワイヤが１段整列できる幅にして、且つ、クローザを引き戸に内蔵させるのに、できる限り薄くするためにゼンマイの強さ調節ロックピン径を小さくし、ケース側に受けポチを複数箇所設け、常時１ないし複数箇所で受けるようにするとともに、ロックピンをゼンマイケースの外に出してしまうと厚くなってしまうため、ロックピンをゼンマイケースの幅の中に納めてしまうようにした内蔵タイプ引き戸用クローザにおいて、前記引き戸クローザとして、第１〜第６発明のいずれか１に記載の強制閉止回避装置を備えた引き戸クローザを用いたことを特徴としている。
【発明の効果】
【００１９】
上記のように、引き戸側に取付ける引き戸クローザにマグネットを有した可動プレートを組み込み、可動プレートに組み込まれたマグネットに反発するような向きに引き戸枠上（鴨居）にマグネットを組み込み込んだので、ある一定速度以上になるとマグネットの反発力が及ばなくなることを利用して一定速度以上では可動プレートが沈むことなくストッパーに当たって止まり、クローザの弾性復帰力で自然に閉まる通常の速度ではマグネットの反発力で可動プレートが沈みストッパーに当たることなく通過できるようになるため、ゼンマイを使用した引き戸クローザで強制的に閉められた場合には引き戸を一旦停止させて閉止スピードを落とすようにしたので、衝撃音が出なくなる。
【図面の簡単な説明】
【００２０】
【図１】図１は引き戸がクローザの弾性復帰力で通常の速度でゆっくりと閉まる場合でマグネットが機能する前の引き戸クローザの状態を示す説明図である。
【図２】図２は図１の引き戸の閉止が進み、マグネットが機能した直後の引き戸クローザの状態を示す説明図である。
【図３】図３は図２の可動プレートが再び「衝突高さ」に戻って進行して閉止する寸前の引き戸クローザの状態を示す説明図である。
【図４】図４は引き戸を速く閉めたため可動プレートがストッパープレートに衝突した瞬間の引き戸クローザの状態を示す説明図である。
【図５】図５は引き戸が図４のようにストッパープレートに衝突して、跳ね返った後の引き戸クローザの動作を示す説明図である。
【図６】図６は引き戸が図５からゆっくり閉まる途中のマグネットが機能した後の引き戸クローザの状態を示す説明図である。
【図７】図７は図６の可動プレートでマグネットが機能しなくなって再び衝突高さに戻って進行する引き戸クローザの状態を示す説明図である。
【図８】図８は本発明の実施例２を説明する図で、上部マグネットＭｏと下部マグネットＭｕの反発力を調節する発明である。
【図９】図９は本発明の実施例３を説明する図で、ショックアブソーバを用いた引き戸クローザの状態を示す説明図である。
【図１０】図１０は本発明の実施例４を説明する図で、引き戸がゆっくり閉まっている状態で可動プレートを回避高さまで低く下げた状態を所定距離なお維持させている引き戸クローザの状態を示す説明図である。
【図１１】図１１は本発明の実施例５を説明する図で、引き戸が「開けられる」時の引き戸クローザの状態を示す説明図である。
【図１２】図１２は引き戸クローザを取付けた引き戸を説明する図で、（Ａ）は引き戸クローザを取付けた引き戸を示す正面図、（Ｂ）は側面図、（Ｃ）は引き戸を開いた状態を示す正面図である。
【図１３】図１３は図１２の引き戸クローザとワイヤの設置状態を説明する部分拡大正面図である。
【図１４】図１４は引き戸クローザを説明する図で、（Ａ）は引き戸クローザを示す平面図、（Ｂ）は正面図である。
【発明を実施するための形態】
【実施例１】
【００２１】
実施例１について、図１〜図７を用いて説明する。
図１においてクローザの一部を切り欠いて示した部分は本発明により設置された強制閉止回避装置９である。
強制閉止回避装置９は、可動プレート９０と支軸９１と可動プレート押し戻し装置９２とストッパープレート９３とから成っている。
以下、可動プレート９０、支軸９１、可動プレート押し戻し装置９２、ストッパープレート９３について説明する。
【００２２】
〈可動プレート９０〉
可動プレート９０は、クローザ本体に固定された支軸９１に回動自在に嵌め込まれた略長方形のプレートで、支軸９１を中心に一方の角部に衝突ヘッド９０Ｈを形成してそこに弾性体Ｄ２を取り付けており、衝突ヘッド９０Ｈの近傍の一辺に下部マグネットＭｕを埋め込んでいる。
また、支軸９１（後述）を中心に衝突ヘッド９０Ｈの対極の角部に弾性体Ｄ４を取り付け、弾性体Ｄ４の近傍に第１ピンＰ１を可動プレート９０に立設している。一方、第２ピンＰ２をクローザ本体側に立設し、第１ピンＰ１と第２ピンＰ２の間に戻しスプリングＳを介在させて、常に第１ピンＰ１を第２ピンＰ２側に引っ張っている。
また、弾性体Ｄ４の近傍に第３ピンである可動プレート停止ピンＰ３をクローザ本体側に立設して、周囲を弾性体Ｄ３で覆っている。
可動プレート９０の弾性体Ｄ４が可動プレート停止ピンＰ３の弾性体Ｄ３に当接することで、戻しスプリングＳによる第１ピンＰ１の引っ張りを規制している。この結果、可動プレート９０は支軸９１を中心に反時計方向に回動して、その弾性体Ｄ４が可動プレート停止ピンＰ３の弾性体Ｄ３に当接することで回動はストップし、その衝突ヘッド９０Ｈは最も高い位置（すなわち、ストッパープレート９３の弾性体Ｄ１と衝突できる位置）にある。
【００２３】
〈支軸９１〉
支軸９１はクローザ本体に固定されたピンで、支軸９１を中心にして可動プレート９０が回動する。支軸９１の表面周囲はダンパー９１Ｄ（図１）の付いたカラー９１Ｃで囲って保護されている。
【００２４】
〈可動プレート押し戻し装置９２〉
可動プレート押し戻し装置９２は上部枠体Ｗ側に埋め込まれた上部マグネットＭｏから成り、この上部マグネットＭｏは下部マグネットＭｕの極性と同じ極性で対向するように埋められている。したがって上部マグネットＭｏと下部マグネットＭｕが接近すると互いに反発するようになる。
その反発力は第１ピンＰ１を第２ピンＰ２側に引っ張っている戻しスプリングＳの弾性力よりも大きくなるようにしている。したがって、引き戸が閉められていって下部マグネットＭｕが上部マグネットＭｏに接近するとその反発力が戻しスプリングＳの弾性力に打ち勝って、可動プレート９０は支軸９１を中心に時計方向に回動して、その衝突ヘッド９０Ｈは低い位置に移動することとなる。
【００２５】
〈ストッパープレート９３〉
ストッパープレート９３は可動プレート９０の衝突ヘッド９０Ｈと衝突するように上部枠体Ｗ側に設けられる非磁性体で形成される部材で、衝突ヘッド９０Ｈの弾性体Ｄ２と衝突する側の部位に弾性体Ｄ１が設けられており、衝突すると、衝突ヘッド９０Ｈがストッパープレート９３から弾むようになる。
【００２６】
以上の可動プレート９０と支軸９１と可動プレート押し戻し装置９２とストッパープレート９３とを備えて成る強制閉止回避装置９によって、引き戸がゆっくり閉められた場合と強制的に速く閉められた場合とで、次のような異なった動作が行われる。図１〜図３はクローザによりゆっくり閉められる場合、図４〜図７は強制的に速く閉められた場合を説明する図である。
〈図１：ゆっくり閉まる場合でマグネットが機能する前のクローザ〉
図１において、引き戸１がクローザの力で矢印Ｆの方向にゆっくり閉まっている途中で、可動プレート９０側のマグネットＭｕと上部枠体Ｗ側の可動プレート押し戻し装置９２のマグネットＭｏとが反発する距離にまだ達していないときは、その反発力よりも戻しスプリングＳの弾性力（引っ張り力）の方が大きく、したがって可動プレート９０は支軸９１を中心にして反時計方向に引かれ、可動プレート９０の支軸９１に対して衝突ヘッド９０Ｈの対極にある弾性体Ｄ４が、クローザ本体に固定された可動プレート停止ピンＰ３の弾性体Ｄ３に当接して停止し、これにより対極にあるヘッド９０Ｈの弾性体Ｄ２がストッパープレート９３の弾性体Ｄ１と衝突できる高さ（以後、「衝突高さ」という。）に上昇している。
【００２７】
〈図２：マグネットが機能した直後のクローザ〉
図２は図１の引き戸のマグネットが機能した直後の引き戸クローザの状態を示す説明図である。引き戸１が図１から矢印Ｆの方向にさらに閉まると、やがて可動プレート９０側のマグネットＭｕと上部枠体Ｗ側の可動プレート押し戻し装置９２のマグネットＭｏとが反発し、その反発力が戻しスプリングＳの引っ張り力に打ち勝って可動プレート９０が支軸９１を中心にして図で時計方向に回動して、図２のようにそのヘッド９０Ｈがストッパープレート９３の弾性体Ｄ１を回避する高さ（以後、「回避高さ」という。）にまで低くなる。したがって、引き戸はヘッド９０Ｈがストッパープレート９３に衝突することなくストッパープレート９３の位置を通過することができる態勢になる。
【００２８】
〈図３：マグネットが再び機能しなくなったときのクローザ〉
図２の態勢で引き戸１がさらに矢印Ｆの方向に進むと、可動プレート９０側のマグネットＭｕと上部枠体Ｗ側の可動プレート押し戻し装置９２のマグネットＭｏとが反発できる距離より離れるので、その反発力よりも戻しスプリングＳの引っ張り力の方が大きくなって、図３のように可動プレート９０は「衝突高さ」に戻った状態で進行して閉止する。
以上のように、引き戸がクローザの弾性復元力で通常の速度でゆっくりと閉まる場合は、１対の上下のマグネットＭｏ・Ｍｕの反発により可動プレート９０がストッパープレート９３を回避して通過することになるので、ストッパープレート９３があっても障害にならない。
【００２９】
次ぎに、強制的に速く閉められた場合に本発明によれば衝突音が出ない理由を図４〜図７において説明する。
〈図４：引き戸を手で速く閉めた場合〉
図４は引き戸を速く閉めた場合に可動プレート９０がストッパープレート９３に衝突した瞬間の引き戸クローザの状態を示す説明図である。引き戸１が図１の状態から矢印Ｆの方向に強制的に速く閉められると、可動プレート９０側のマグネットＭｕと上部枠体Ｗ側の可動プレート押し戻し装置９２のマグネットＭｏとが反発する前に、図４のように可動プレート９０のヘッド９０Ｈがストッパープレート９３に衝突してしまうようになる。
【００３０】
〈図５〜図７：衝突ヘッド９０Ｈがストッパープレート９３に衝突した後〉
可動プレート９０の衝突ヘッド９０Ｈがストッパープレート９３に衝突しても、ヘッド９０Ｈとストッパープレート９３のそれぞれにゴム等の弾性体Ｄ１とＤ２が設けられているので、互いに弾むだけで、衝撃音は発生しない。弾性体Ｄ１とＤ２が弾むことで、図５のように可動プレート９０（すなわち、引き戸１）がストッパープレート９３から跳ね返されて後退する。
その後、引き戸１はクローザの弾性復元力で矢印Ｆの閉止方向にゆっくり動き出すので、可動プレート９０のマグネットＭｕと可動プレート押し戻し装置９２のマグネットＭｏとが反発して、その反発力が戻しスプリングＳの引っ張り力に打ち勝って可動プレート９０が支軸９１を中心にして図で時計方向に回動して、図６のようにそのヘッド９０Ｈがストッパープレート９３の弾性体Ｄ１を回避する回避高さまで低くなり、引き戸はヘッド９０Ｈがストッパープレート９３に衝突することなくストッパープレート９３の位置を通過する。この態勢で引き戸１が矢印Ｆの方向にさらに進むと、可動プレート９０側のマグネットＭｕと上部枠体Ｗ側の可動プレート押し戻し装置９２のマグネットＭｏとが反発できる距離より離れていき、その反発力よりも戻しスプリングＳの引っ張り力の方が大きくなって、図７のように、可動プレート９０は再び「衝突高さ」に戻った状態で進行して静かに閉止する。
以上のように、引き戸がクローザの弾性復元力よりも大きな力で強制的に閉じられようとして、引き戸が所定の速度以上になった場合に、本発明によって、引き戸を一旦停止させてから、今度はゆっくり閉めるようになるので、閉まった際に大きな衝撃音が出なくなり、また、引き戸および引き戸枠の材料に疲労を生じる虞もなくなる。
【実施例２】
【００３１】
図８は本発明の実施例２を説明する図で、上部マグネットＭｏと下部マグネットＭｕの反発力を調節する発明である。上部マグネットＭｏと下部マグネットＭｕのどちらかの取り付け位置を上下方向に変えることで、反発力を可変できるようにしている。図８では上部マグネットＭｏを図１の位置から矢印の方向の上方向に取り付け位置を変えて、下部マグネットＭｕとの反発力を図１と比べて弱めている。このようにすることで、例えば戻しスプリングＳの引っ張り力が弱いとき、実施例３により上部マグネットＭｏと下部マグネットＭｕの距離を増やして反発力を弱めている。戻しスプリングＳの引っ張り力がどのような大きさであっても、実施例３により反発力を調整することができるので問題ない。
【実施例３】
【００３２】
図９は本発明の実施例３を説明する図で、引き戸が閉まる途中でマグネットが機能する前の引き戸クローザの状態を示す説明図である。実施例３が実施例１と異なるのは、実施例１のストッパープレート９３の代わりに実施例３ではショックアブソーバ９４を用いた点である。ショックアブソーバ９４自体はいろいろなタイプのものがあり、いずれのものを用いてもよい。例えば、単筒式ショックアブソーバーはアブソーバー本体の筒が一重構造になっており、筒の内部はオイルが満たされたオイル室と高圧のガスが充填されたガス室に分けられ、その間を自由に動く事が出来るフリーピストンによって仕切られた構造を有している。ピストンロッド９４Ｓが進入する場合オイルはフリーピストンを押し下げ、オイル室の容積を増加することで納められる。また、アブソーバーの減衰力調整は、延び側、縮み側、ともにオイル内を移動するピストン（ピストンバルブ）によって行われる。
そこで、可動プレート９０のヘッド９０Ｈがショックアブソーバ９４のピストンロッド９４Ｓの先端のヘッド９４Ｈに衝突すると、ピストンロッド９４Ｓをショックアブソーバ９４の筒の中に押し込んで、可動プレート９０は停止し、その後押し返され（図５参照）、このとき、可動プレート９０のマグネットＭｕと可動プレート押し戻し装置９２のマグネットＭｏとが反発して、その反発力が戻しスプリングＳの引っ張り力に打ち勝って可動プレート９０が支軸９１を中心にして図で時計方向に回動して、衝突ヘッド９０Ｈがショックアブソーバ９４を回避する回避高さまで低くなるので、引き戸はヘッド９０Ｈがショックアブソーバ９４に衝突することなくショックアブソーバ９４の位置を通過する（図６参照）。この態勢で引き戸１が矢印Ｆの方向にさらに進むと、可動プレート９０側のマグネットＭｕと上部枠体Ｗ側の可動プレート押し戻し装置９２のマグネットＭｏとが反発できる距離より離れていき、その反発力よりも戻しスプリングＳの引っ張り力の方が大きくなって、可動プレート９０は「衝突高さ」に戻った状態で進行して（図７参照）閉止する。
このように、ショックアブソーバ９４を用いると、実施例１と比べて衝突時のショックを緩和することができる。
【実施例４】
【００３３】
図１０は本発明の実施例４を説明する図で、引き戸がゆっくり閉まっている状態で可動プレート９０を回避高さまで低く下げた状態を所定距離なお維持させている引き戸クローザの状態を示す説明図である。引き戸１が閉止位置近傍に近づいて可動プレート９０の下部マグネットＭｕと上部マグネットＭｏとの反発力が小さくなって可動プレート９０が衝突高さに復帰しようとするとき、まだ復帰させたくない部位がある場合、そこに下部マグネットＭｕと反発する向きに第３のマグネットＭｄを配設するようにしている。
このようにすることで、所定距離の間、可動プレート９０を回避高さまで低く下げた状態を維持させることができる。特に、実施例３の場合、ショックアブソーバ９４のストロークの長さが長いので、実施例４によって所定距離の間、可動プレート９０を回避高さまで低く下げた状態を維持させることができるので有利である。
【実施例５】
【００３４】
実施例１〜４は引き戸を閉じる場合の発明であったが、実施例５は引き戸が「開けられる」時の発明で、図１１は実施例５の引き戸クローザを示す説明図である。引き戸１が開けられる時に可動プレート９０の衝突ヘッド９０Ｈがストッパープレート９３の裏側（反弾性体Ｄ１側）に衝突すると困るので、実施例５により衝突ヘッド９０Ｈの反弾性体Ｄ２側に傾斜部９０Ｓをつけ、ストッパープレート９３が傾斜部９０Ｓに触れることで可動プレート９０を回避高さ方向へ回動させるようにして、引き戸１がストッパープレート９３の下を通過できるようにしている。
【００３５】
以上、本発明によれば、引き戸がクローザの引き力よりも大きな力で強制的に閉じられようとして、引き戸が所定の速度以上になった場合に、引き戸を一旦停止させてから、今度はゆっくり閉めるようにしたので、閉まった際に大きな衝撃音が出なくなり、また、引き戸および引き戸枠の材料に疲労を生じる虞もなくなる。
【符号の説明】
【００３６】
１  引き戸
１１  上面
１２  下面
１３  埋設空間
２  クローザ
３  筐体
３Ｂ  透孔
３０Ｂ  ねじ
３１  上面
３２  軸孔
４  ワイヤ
４Ｎ  固定ねじ
４Ｓ  先端部分
５  ぜんまいユニット
５１  ぜんまい
５２  ぜんまい室
５３  ワイヤ室
５４  調速室
５５  ぜんまい軸
５６  壁(第２の境界壁)
５７  壁(第１の境界壁)
６  ダンパユニット
６１  ダンパ
６２  ダンパプーリ
６３  プーリ軸
８  調速手段
８１  調速軸
８２  ロックピン
８２Ａ  係止溝
８３  係止部材
α  開扉方向
β  閉扉方向
Ｆ  床面
Ｒ  ローラ
Ｔ  戸当り
Ｗ  建物側の上部枠体
９  強制閉止回避装置
９０  可動プレート
９０Ｈ  衝突ヘッド
９０Ｓ  傾斜部
９１  支軸
９２  可動プレート押し戻し装置
９３  ストッパープレート
９４  ショックアブソーバ
９４Ｓ  ピストンロッド
９４Ｈ  ヘッド
Ｐ１  第１ピン
Ｐ２  第２ピン
Ｐ３  可動プレート停止ピン（第３ピン）
Ｄ１〜Ｄ４  弾性体
Ｍｕ  下部マグネット
Ｓ  戻しスプリング
Ｍｏ  上部マグネット
Ｆ  閉止方向
Ｍｄ  第３のマグネット
【図１】
2011140785.tif 000003
【図２】
2011140785.tif 000004
【図３】
2011140785.tif 000005
【図４】
2011140785.tif 000006
【図５】
2011140785.tif 000007
【図６】
2011140785.tif 000008
【図７】
2011140785.tif 000009
【図８】
2011140785.tif 000010
【図９】
2011140785.tif 000011
【図１０】
2011140785.tif 000012
【図１１】
2011140785.tif 000013
【図１２】
2011140785.tif 000014
【図１３】
2011140785.tif 000015
【図１４】
2011140785.tif 000016